(57)【要約】【課題】露光作動終了時の衝撃を効率よく緩和させることによりシャッタの耐久性向上やシャッタ速度の向上が可能なカメラ用フォーカルプレーンシャッタを提供すること。【解決手段】羽根４は第一アーム２，第二アーム３に連結軸２ａ、３ａにより回転可能に取り付けられている。露光動作終了時には、第一アーム２がストッパ１ｃに当接した後、地板１に取り付けられた緩衝部材６に第二アーム３が当接し得るようになっているので、二つのアーム同士の間隔を小さくするように羽根を歪ませるような力が作用しても各アームや羽根の変形を抑えることができるのでシャッタの耐久性を一層向上させることができる。さらに部品点数削減による軽量化によりシャッタ速度向上もできる。【選択図】  図２
2015219518.tif 000002
【特許請求の範囲】
【請求項１】
被写体光路用の開口部を有する地板と、前記地板に回転可能に取り付けられた第一アーム及び第二アームと、前記第一アーム及び第二アームに回転可能に連結された羽根と、前記第一アーム及び第二アームが各々当接する第一ストッパ及び第二ストッパを備えていて、前記第一アームが前記第一ストッパに当接した時に前記第二アームが前記第二ストッパに当接し得る隙間が形成されるようにしたことを特徴とするカメラ用フォーカルプレンシャッタ。
【請求項２】
前記第一アームが、露光作動方向側に配置されていると共に駆動手段が連結されていることを特徴とする請求項１に記載のカメラ用フォーカルプレンシャッタ。
【請求項３】
前記二つのアーム及び羽根からなるシャッタ羽根を二組備えていて、該各シャッタ羽根同士が所定の時間間隔を設けて開口部に対して露光作動するようにしたことを特徴とする請求項１又は２のいずれかに記載のカメラ用フォーカルプレンシャッタ。
【請求項４】
請求項１乃至３のいずれかに記載のカメラ用フォーカルプレンシャッタを備えていることを特徴とするカメラ。
【発明の詳細な説明】
【技術分野】
【０００１】
本発明は、カメラ用フォーカルプレーンシャッタ、及びそれを備えたカメラに関する。
【背景技術】
【０００２】
従来、このような分野の技術として例えば以下の特許文献１がある。この特許文献１に記載されたカメラ用フォーカルプレーンシャッタの後羽根群は、シャッタ地板１に回転可能に取り付けられた二つのアーム２９，３０と、それらのアームに連結軸を介して取り付けられた４枚の羽根３１〜３４で構成されている。２つのアーム２９，３０の各々一つの連結軸には、補助部材３５が取り付けられていて、露光作動終了時には、シャッタ地板１に取り付けられている緩衝部材８に、アーム３０の当接部３０ｅと補助部材３５の当接部３５ａが略同時に当接するようになっている
これにより、露光作動終了時の衝撃により二つのアーム２９，３０の間隔が小さくならずにアームや羽根の変形や破損を抑制するようになっている。
【先行技術文献】
【特許文献】
【０００３】
【特許文献１】特開２００１−２１９４５号公報
【発明の概要】
【発明が解決しようとする課題】
【０００４】
しかしながら、特許文献１に記載のカメラ用フォーカルプレーンシャッタは、露光作動終了時、補助部材と一方のアームが緩衝部材に当接することにより生じる衝撃力は、補助部材を取り付けている連結軸が受けることになる。従って、このことが連結軸の劣化や破損につながる場合があるためフォーカルプレーンシャッタのより一層の耐久性向上の障害になる問題がある。また、二つのアーム間に補強部材を取り付けているため後羽根群が重くなりフォーカルプレンシャッタの高速化の障害になる問題がある。
【０００５】
本発明は、上記事情に対処することを課題の一例とするものである。すなわち、露光作動終了時においては、一部の連結軸に衝撃力が集中することがなく耐久性の一層の向上が可能となり、且つシャッタ速度の向上も可能な優れたカメラ用フォーカルプレーンシャッタ、及びカメラを提供することを目的とする。
【課題を解決するための手段】
【０００６】
上記の目的を達成するために、本発明によるカメラ用フォーカルプレンシャッタは、被写体光路用の開口部を有する地板と、前記地板に回転可能に取り付けられた第一アーム及び第二アームと、前記第一アーム及び第二アームに回転可能に連結された羽根と、前記第一アーム及び第二アームが各々当接する第一ストッパ及び第二ストッパを備えていて、前記第一アームが前記第一ストッパに当接した時に前記第二アームが前記第二ストッパに当接し得る隙間が形成されるようにしたことを特徴とする。
【０００７】
また、本発明のカメラ用フォーカルプレンシャッタは、第一アームに駆動手段が連結されていると共に露光作動方向側に配置されてることが好ましい。
【０００８】
また、本発明のカメラ用フォーカルプレンシャッタは、二つのアーム及び羽根からなるシャッタ羽根を二組備えていて、各シャッタ羽根同士が所定の時間間隔を設けて開口部に対して露光作動するようにすることが好ましい。
【０００９】
更に、本発明のカメラは、上記本発明のカメラ用フォーカルプレンシャッタを備えていることを特徴とする。
【発明の効果】
【００１０】
本発明によれば、カメラ用フォーカルプレンシャッタは、露光作動終了時の衝撃をアームと羽根を連結する複数の連結軸を介して分散させ効率よく緩和するのでより一層の耐久性向上が達成できる。また、本発明によれば、シャッタ羽根の部品点数削減が可能となるのでより一層のシャッタ速度向上が達成できる。
【図面の簡単な説明】
【００１１】
【図１】本発明の実施形態に係るカメラ用フォーカルプレンシャッタの露光動作開始前状態を示した平面図。
【図２】図１の状態から羽根の露光作動終了状態を示す平面図。
【図３】図２の状態から二つのアームの間隔が小さくなった状態を示す平面図。
【発明を実施するための形態】
【００１２】
本発明の好適な実施の形態を、図面を参照しつつ説明する。
先ず、図１を用いて本発明の実施形態の構成を説明するが、その説明に際しては、撮像素子側を図の表面側と称し、被写体側を図の背面側と称することにする。地板１には、その略中央部に被写体光路用の開口部１ａが形成されている。また周知のため図示を省略したが、地板１の表面側には、地板１と所定の間隔を空けて地板１と略同じ形状の補助地板が取り付けられており、地板１と補助地板の間に羽根室を形成している。また地板１の表面側には軸１ｂが立設されている。また、地板１の羽根室内には後述する説明から理解できるようにシャッタ羽根のストッパとしての役目をする第一アーム２が当接する緩衝部材１ｃと１ｄと、第二アーム３が当接し得るストッパとしての緩衝部材６が設けられている。さらに背面側には駆動手段としてのモータ５が図示しない手段により取り付けられていてモータ５の出力軸５ａが表面側に突き出している。
【００１３】
次に、地板１の表面側に形成された羽根室内に配置されているシャッタ羽根の構成について説明する。シャッタ羽根は、モータ５の出力軸５ａに固定された第一アーム２と、地板１の表面側に立設さられた軸１ｂに対して回転可能に取り付けられた第二アーム３と、それらの先端部に向けて複数の連結軸２ａ，３ａを介して順に回転可能に取り付けられた２枚の羽根４で構成されている。
【００１４】
次に本実施例の作動を説明する。図１は、シャッタ羽根が開口部１ａの下方から上方へ向けて露光作動を開始することの可能な露光作動前の状態を示したものである。この状態においては、シャッタ羽根の２枚の羽根４が重畳状態となって開口部１ａの下方に格納されている。またモータ内５に配置される図示しない周知の永久磁石製の回転子は、モータ５のコイルに通電されていないにもかかわらず、固定子側の強磁性体部材との間に作用する磁力により、時計方向へ回転しようとするがその回転は第一アーム２がストッパ１ｄに当接することによりこの状態が維持されている。
【００１５】
このような図１に示した状態において、撮像素子による被写体像の観察や動画撮影が可能となっている。そしてこの状態においてカメラのレリーズボタンを押すと、先ず、撮像素子の先羽根電子シャッタ機能が起動し、その後の所定時間経過後、モータ５のコイルに対して順方向への通電が行われる。そのためモータ５の出力軸５ａは反時計方向へ回転させられ第一アーム２を反時計方向へ回転させることになるので、第一アーム２と第二アーム３に連結された２枚の羽根４は相互の重なりを小さくしつつ上方へ移動し、開口部１ａを閉じていく。従って、撮像素子の先羽根電子シャッタ機能と羽根４のスリット形成縁とにより露光作動が行われていくことになる。そして、シャッタ羽根は、上方に移動させられていくが、羽根４が開口部１ａを閉じた後に第一アーム２がストッパである緩衝部材１ｃに当接する。この露光作動終了時の状態が図２に示されている。
【００１６】
この図２に示された状態において、例えばシャッタ速度が高速であった場合にはシャッタ羽根に働く衝撃力のため、第一アーム２と第二アーム３の二つのアーム同士の間隔を小さくして羽根を撓ませるような力が作用することになる。しかし本実施例の場合には、第二アーム３と当接し得る緩衝部材６を設けているので、二つのアーム同士の間隔を小さくするような力が働いたとしても、図２に示すように第二アーム３が隙間ｄだけ移動して地板１に設けた緩衝部材６に当接して停止させられることにより羽根の変形を確実に抑えることが可能となる。
【００１７】
その後、羽根４やアーム２，３自体の弾性による復元力により第二アーム３は図３の状態に戻り次にモータ５に逆方向の通電が行われるまでその状態を維持されることになる。尚、シャッタ速度等の関係で地板１に取り付けられた緩衝部材６に第二アーム３が当接しない場合もあるが、そのような撮影条件に依存する場合も本発明に含まれるものである。
【００１８】
また、本実施例においては、地板１に設けたストッパとして緩衝部材１ｃを設けているが、露光作動終了時のシャッタ羽根のバウンドが抑えられる場合には緩衝部材１ｃを設けずに、第一アーム２を直接、地板１に当接させるようにしても差し支えない。
【００１９】
さらに、本実施例においては、一組のシャッタ羽根を設けているが、周知のように、二組のシャッタ羽根を所定間隔で順次移動させて撮影を行うようなタイプのフォーカルプレンシャッタにおいて、一組のシャッタ羽根に本発明を適用しても差し支えないし、二組のシャッタ羽根に本発明を適用しても差し支えない。
【産業上の利用可能性】
【００２０】
以上述べたように、本発明のカメラ用フォーカルプレンシャッタは、露光作動終了時の衝撃を効率よく緩和しつつ、耐久性の向上を達成できるため、一眼レフカメラ、ミラーレスカメラ等のカメラに適用できる。
【符号の説明】
【００２１】
１          地板
１ａ        被写体光路用の開口部
１c，１ｄ   緩衝部材（ストッパ）
２          第一アーム
３          第二アーム
４          羽根
５          モータ
６          緩衝部材（ストッパ）
ｄ          隙間
【図１】
2015219518.tif 000003
【図２】
2015219518.tif 000004
【図３】
2015219518.tif 000005